(57)【特許請求の範囲】
【請求項１】
エレベーターの乗場に設けられた撮影装置が撮影する画像に基づいて、前記乗場において待機する利用者の待機位置を検出する位置検出部と、
前記乗場に設けられた投影装置が画像を投影可能な前記乗場の領域について、前記乗場において待機する利用者の注目度を、前記撮影装置が撮影する画像に基づいて検出する注目度検出部と、
前記投影装置が画像を投影する投影領域を、前記位置検出部が検出する待機位置、および前記注目度検出部が検出する注目度を含む情報に基づいて、より注目度の高い領域、および前記乗場において待機する利用者に投影が遮られる可能性のより低い領域をより優先して決定する領域決定部と、
を備えるエレベーターの表示制御装置。
【請求項２】
前記領域決定部が決定した投影領域に応じて前記投影装置が投影する画像を変換する画像変換部
を備える請求項１に記載のエレベーターの表示制御装置。
【請求項３】
前記注目度検出部は、前記乗場において予め設定された複数の領域の各々について、前記乗場において待機する利用者の注目度を検出する
請求項１または請求項２に記載のエレベーターの表示制御装置。
【請求項４】
前記注目度検出部は、前記複数の領域の各々に視線を向けている利用者の数を用いて、前記複数の領域の各々の注目度を検出する
請求項３に記載のエレベーターの表示制御装置。
【請求項５】
前記乗場において待機する利用者について目線の高さに関する情報を含む利用者の特性を、前記撮影装置が撮影する画像に基づいて検出する特性検出部
を備え、
前記注目度検出部は、前記複数の領域の各々に視線を向けている利用者の前記特性検出部が検出する特性に応じて重み付けされた数を用いて、前記複数の領域の各々の注目度を検出する
請求項４に記載のエレベーターの表示制御装置。
【請求項６】
前記領域決定部は、エレベーターの乗場ドアが閉じていないときに、前記複数の領域から前記乗場ドアの表面を含む領域を除いて前記投影装置が投影する画像の投影領域を決定する
請求項３から請求項５のいずれか一項に記載のエレベーターの表示制御装置。
【請求項７】
前記領域決定部は、前記複数の領域のうち注目度の高い上位２つの領域の間で注目度の差が予め設定された閾値より小さいときに、前記複数の領域のうちの予め設定された基準領域を前記投影装置が投影する画像の投影領域として決定する
請求項３から請求項６のいずれか一項に記載のエレベーターの表示制御装置。
【発明の詳細な説明】
【技術分野】
【０００１】
本開示は、エレベーターの表示制御装置に関する。
【背景技術】
【０００２】
特許文献１は、エレベーターの例を開示する。エレベーターの乗場において、かごに設けられた投影装置によって反射装置を介して画像が投影される。
【先行技術文献】
【特許文献】
【０００３】
【特許文献１】特開２０１６−１９９３９０号公報
【発明の概要】
【発明が解決しようとする課題】
【０００４】
しかしながら、特許文献１のエレベーターにおいて、画像は予め設定された単一の領域に投影される。このため、乗場が混雑している場合などに、投影された画像が見えにくくなる可能性がある。
【０００５】
本開示は、このような課題の解決に係るものである。本開示は、混雑している乗場においても利用者に見やすく画像を表示できるエレベーターの表示制御装置を提供する。
【課題を解決するための手段】
【０００６】
本開示に係るエレベーターの表示制御装置は、エレベーターの乗場に設けられた撮影装置が撮影する画像に基づいて、前記乗場において待機する利用者の待機位置を検出する位置検出部と、前記乗場に設けられた投影装置が画像を投影可能な前記乗場の領域について、前記乗場において待機する利用者の注目度を、前記撮影装置が撮影する画像に基づいて検出する注目度検出部と、前記投影装置が画像を投影する投影領域を、前記位置検出部が検出する待機位置、および前記注目度検出部が検出する注目度を含む情報に基づいて、より注目度の高い領域、および前記乗場において待機する利用者に投影が遮られる可能性のより低い領域をより優先して決定する領域決定部と、を備える。
【発明の効果】
【０００７】
本開示に係る表示制御装置であれば、混雑している乗場においても利用者に見やすく画像を表示できる。
【図面の簡単な説明】
【０００８】
【図１】実施の形態１に係るエレベーターの構成図である。
【図２】実施の形態１に係る表示システムの動作の例を示すフローチャートである。
【図３】実施の形態１に係る表示システムの主要部のハードウェア構成図である。
【図４】実施の形態２に係るエレベーターの乗場の例を示す図である。
【図５】実施の形態２に係る表示システムの動作の例を示すフローチャートである。
【図６】実施の形態３に係る注目度検出部による注目度の検出の例を説明する図である。
【図７】実施の形態３に係る表示システムの動作の例を示すフローチャートである。
【図８】実施の形態４に係る表示システムの動作の例を示すフローチャートである。
【図９】実施の形態５に係る表示システムの動作の例を示すフローチャートである。
【発明を実施するための形態】
【０００９】
本開示を実施するための形態について添付の図面を参照しながら説明する。各図において、同一または相当する部分には同一の符号を付して、重複する説明は適宜に簡略化または省略する。
【００１０】
実施の形態１．
図１は、実施の形態１に係るエレベーター１の構成図である。
【００１１】
エレベーター１は、複数の階床を有する建物に適用される。建物において、エレベーター１の昇降路２が設けられる。昇降路２は、複数の階床にわたる上下方向に長い空間である。建物の各々の階床において、エレベーター１の乗場３が設けられる。各々の階床の乗場３において、乗場ドア４が設けられる。乗場ドア４は、乗場３および昇降路２を区画するドアである。エレベーター１は、かご５と、制御盤６と、を備える。かご５は、昇降路２を上下方向に走行することによって、内部の空間に乗車している利用者を複数の階床の間で輸送する装置である。かご５は、かごドア７を備える。かごドア７は、いずれかの階床にかご５が停止しているときに、利用者がかご５を乗降しうるように当該階床の乗場ドア４を連動させて開閉する装置である。制御盤６は、かご５の走行、およびかごドア７の開閉などのエレベーター１の運行を制御する装置である。
【００１２】
エレベーター１は、表示システム８を備える。表示システム８は、乗場３においてかご５の到着を待機する利用者などに情報を表示するシステムである。表示システム８は、撮影装置９と、投影装置１０と、表示制御装置１１と、を備える。
【００１３】
撮影装置９は、乗場３に設けられる。この例において、撮影装置９は、乗場３の画像を撮影するカメラである。撮影装置９が撮影する画像は、動画または静止画などである。撮影装置９は、例えば乗場３の天井に配置される。撮影装置９は、１つの乗場３に複数設けられていてもよい。
【００１４】
投影装置１０は、乗場３に設けられる。この例において、投影装置１０は、乗場３に画像を投影するプロジェクターである。投影装置１０が投影する画像は、利用者に表示する情報を含む。利用者に表示する情報は、例えばエレベーター１の混雑状況、および発着状況などの運行情報を含む。利用者に表示する情報は、例えばエレベーター１の乗降を案内する案内情報を含んでもよい。投影装置１０は、例えば乗場３の天井に配置される。この例において、投影装置１０は、画像を投影する領域を調整可能な首振り機構を搭載している。ここで、投影装置１０が画像を投影可能な領域は、例えば乗場３の壁面、床面、または天井などの一部を含む。投影装置１０が画像を投影可能な領域は、乗場ドア４の表面の一部または全部を含んでもよい。
【００１５】
表示制御装置１１は、投影装置１０の画像の投影による表示を制御する機能を搭載する。表示制御装置１１は、情報取得部１２と、画像処理部１３と、位置検出部１４と、特性検出部１５と、注目度検出部１６と、領域決定部１７と、画像変換部１８と、を備える。
【００１６】
情報取得部１２は、利用者に表示する情報を取得する部分である。この例において、情報取得部１２は、制御盤６からエレベーター１の運行情報を取得する。
【００１７】
画像処理部１３は、撮影装置９が撮影する画像を処理する部分である。画像処理部１３は、撮影装置９から撮影された画像を取得する。画像処理部１３における画像処理は、例えば、撮影された画像が動画である場合の動画から静止画への変換などを含む。
【００１８】
位置検出部１４は、乗場３において待機する利用者の待機位置を検出する部分である。利用者の待機位置は、乗場３においてかご５の到着を待機する利用者のいる位置である。乗場３において複数の利用者が待機している場合に、位置検出部１４は、各々の利用者について待機位置を検出する。位置検出部１４は、撮影装置９に撮影された乗場３の画像に基づいて待機位置を検出する。位置検出部１４は、画像処理部１３が処理した乗場３の画像を取得する。この例において、画像処理部１３が処理した画像は、画像処理部１３によって動画から変換された静止画である。位置検出部１４は、例えば乗場３に利用者がいないときに予め取得された基準画像と、画像処理部１３から取得した画像との差分に基づいて利用者の位置を検出する。
【００１９】
特性検出部１５は、乗場３において待機する利用者の特性を検出する部分である。ここで、利用者の特性は、当該利用者の目線の高さに関する情報を含む。利用者の特性は、例えば車椅子使用者であるか否かの情報を含んでもよい。また、利用者の特性は、例えば予め設定された身長より低い低身長者であるか否かの情報を含んでもよい。低身長者は、例えば子供であってもよい。利用者の特性は、立っている利用者の身長であってもよい。位置検出部１４は、撮影装置９に撮影された乗場３の画像に基づいて乗場３の利用者の特性を検出する。
【００２０】
注目度検出部１６は、投影装置１０が画像を投影可能な乗場３の領域について、乗場３において待機する利用者の注目度を検出する部分である。注目度検出部１６は、撮影装置９に撮影された乗場３の画像に基づいて注目度を検出する。注目度検出部１６は、画像処理部１３が処理した乗場３の画像を取得する。注目度検出部１６は、例えば、位置検出部１４が待機位置を検出した利用者の各々について、顔または体の向きなどを用いて乗場３において視線が向けられる箇所を検出する。注目度検出部１６は、例えば、利用者が視線を向けている箇所を多く含む領域を注目度の高い領域とする。注目度検出部１６は、例えば、乗場３の壁面などにおいて複数の利用者が視線を向けている箇所の重心から予め設定された範囲の領域を注目度の高い領域としてもよい。このとき、注目度検出部１６は、例えば当該領域に視線を向けている利用者の数を当該領域の注目度として検出する。注目度検出部１６は、乗場３において利用者の視線の集中する箇所が複数ある場合に、注目度の高い領域を複数検出してもよい。このとき、注目度検出部１６は、例えば各々の領域に視線を向けている利用者の数を当該領域の注目度として検出してもよい。
【００２１】
領域決定部１７は、投影装置１０が画像を投影する投影領域を決定する部分である。領域決定部１７は、位置検出部１４が検出する待機位置に基づいて、利用者に投影が遮られる可能性のより低い領域をより優先して投影領域とする。領域決定部１７は、例えば投影装置１０が画像を投影する光路上に利用者がいない場合に、当該領域は利用者に投影が遮られる可能性が低いとする。領域決定部１７は、例えば投影装置１０が画像を投影する光路上に利用者がいる場合に、当該領域は利用者に投影が遮られる可能性があるとする。このとき、領域決定部１７は、例えば光路上の利用者が投影装置１０の光軸に近い領域ほど、利用者に投影が遮られる可能性が高いとしてもよい。また、領域決定部１７は、例えば光路上の利用者の数が多い領域ほど、利用者に投影が遮られる可能性が高いとしてもよい。領域決定部１７は、特性検出部１５が検出した特性に基づく利用者の高さの情報を用いて、利用者に投影が遮られる可能性を判定してもよい。あるいは、領域決定部１７は、利用者の高さを平均身長などの予め設定された値として、利用者に投影が遮られる可能性を判定してもよい。また、領域決定部１７は、注目度検出部１６が検出する注目度に基づいて、より注目度の高い領域をより優先して投影領域とする。領域決定部１７は、例えば、利用者に投影が遮られる可能性および注目度の重み付け和などの単調関数によって優先度を算出し、優先度の高い領域を投影領域として決定する。あるいは、領域決定部１７は、予め設定された閾値より利用者に投影が遮られる可能性が低い領域の内で、最も注目度の高い領域を投影領域として決定してもよい。領域決定部１７は、利用者に投影が遮られる可能性および注目度に基づく他の方法によって投影領域を決定してもよい。
【００２２】
画像変換部１８は、領域決定部１７が決定した投影領域に応じて投影装置１０が投影する画像を変換する部分である。画像変換部１８における変換は、例えば、投影装置１０が投影する画像のアフィン変換、またはホモグラフィ変換などである。画像変換部１８における変換は、例えば、投影領域の色に応じた画像の色の変換などを含んでもよい。例えば投影装置１０の投影する画像が乗場ドア４までの方向を示す矢印などの情報を含む場合に、画像変換部１８における変換は、当該矢印の向きの変換などを含んでもよい。
【００２３】
続いて、図２を用いて、実施の形態１に係る表示システム８の動作の例を説明する。
図２は、実施の形態１に係る表示システム８の動作の例を示すフローチャートである。
【００２４】
ステップＳ１０１において、撮影装置９は、乗場３の画像を撮影する。その後、ステップＳ１０２において、画像処理部１３は、撮影された画像の変換処理を行う。その後、ステップＳ１０３において、位置検出部１４は、画像処理部１３において変換処理が行われた画像から、利用者の待機位置を検出する。その後、ステップＳ１０４において、特性検出部１５は、画像処理部１３において変換処理が行われた画像から、利用者の特性を検出する。その後、ステップＳ１０５において、注目度検出部１６は、画像処理部１３において変換処理が行われた画像から、乗場３の領域について利用者の注目度を検出する。その後、ステップＳ１０６において、情報取得部１２は、利用者に表示する情報を取得する。情報取得部１２は、例えば制御盤６からエレベーター１の運行についての情報を取得する。その後、ステップＳ１０７において、領域決定部１７は、利用者に投影が遮られる可能性および注目度に基づいて投影領域を決定する。その後、ステップＳ１０８において、画像変換部１８は、利用者に表示する画像の投影領域に応じた変換処理を行う。その後、ステップＳ１０９において、投影装置１０は、画像変換部１８において変換処理が行われた画像を、領域決定部１７が決定した投影領域に投影する。その後、表示システム８の動作は、ステップＳ１０１に進む。このように処理が繰り返されることで、利用者に表示する情報は、利用者の注目度の高い領域に常時投影されるようになる。
【００２５】
以上に説明したように、実施の形態１に係る表示システム８の表示制御装置１１は、位置検出部１４と、注目度検出部１６と、領域決定部１７と、を備える。撮影装置９および投影装置１０は、乗場３に設けられる。位置検出部１４は、撮影装置９が撮影する画像に基づいて、乗場３において待機する利用者の待機位置を検出する。注目度検出部１６は、投影装置１０が画像を投影可能な乗場３の領域について、乗場３において待機する利用者の注目度を、撮影装置９が撮影する画像に基づいて検出する。領域決定部１７は、位置検出部１４が検出する待機位置、および注目度検出部１６が検出する注目度を含む情報に基づいて、投影装置１０が画像を投影する投影領域を決定する。領域決定部１７は、より注目度の高い領域、および利用者に投影が遮られる可能性のより低い領域をより優先して投影領域に決定する。
【００２６】
このような構成により、投影装置１０が利用者に向けて画像を投影してしまう、すなわち利用者に投影が遮られることが少なくなる。また、利用者の注目度の高い領域に情報が表示されるようになる。このため、混雑している乗場３においても利用者に見やすく画像が表示される。利用者が表示される情報に気づきやすくなるので、利用者の利便性が高くなる。
【００２７】
また、表示制御装置１１は、画像変換部１８を備える。画像変換部１８は、領域決定部１７が決定した投影領域に応じて投影装置１０が投影する画像を変換する。
【００２８】
このような構成により、投影領域に応じて好適な画像が表示される。このため、利用者が情報をより見やすくなる。
【００２９】
なお、撮影装置９および投影装置１０が配置される場所は、乗場３の天井に限定されない。撮影装置９は、利用者の他の障害物によって乗場３の画像の撮影が遮られない位置に配置される。撮影装置９は、利用者の待機位置および特性などを検出する画像を撮影できる位置であれば、乗場３の任意の位置に配置されてもよい。また、投影装置１０は、利用者の他の障害物によって乗場３の領域への投影が遮られない位置に配置される。投影装置１０は、画像を投影して利用者に表示できる位置であれば、乗場３の任意の位置に配置されてもよい。
【００３０】
続いて、図３を用いて、表示システム８のハードウェア構成の例について説明する。
図３は、実施の形態１に係る表示システム８の主要部のハードウェア構成図である。
【００３１】
表示制御装置１１を含む表示システム８の各機能は、処理回路により実現し得る。処理回路は、少なくとも１つのプロセッサ１００ａと少なくとも１つのメモリ１００ｂとを備える。処理回路は、プロセッサ１００ａおよびメモリ１００ｂと共に、あるいはそれらの代用として、少なくとも１つの専用ハードウェア２００を備えてもよい。
【００３２】
処理回路がプロセッサ１００ａとメモリ１００ｂとを備える場合、表示システム８の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１００ｂに格納される。プロセッサ１００ａは、メモリ１００ｂに記憶されたプログラムを読み出して実行することにより、表示システム８の各機能を実現する。
【００３３】
プロセッサ１００ａは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１００ｂは、例えば、ＲＡＭ、ＲＯＭ、フラッシュメモリ、ＥＰＲＯＭ、ＥＥＰＲＯＭなどの、不揮発性または揮発性の半導体メモリなどにより構成される。
【００３４】
処理回路が専用ハードウェア２００を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【００３５】
表示システム８の各機能は、それぞれ処理回路で実現することができる。あるいは、表示システム８の各機能は、まとめて処理回路で実現することもできる。表示システム８の各機能について、一部を専用ハードウェア２００で実現し、他部をソフトウェアまたはファームウェアで実現してもよい。このように、処理回路は、専用ハードウェア２００、ソフトウェア、ファームウェア、またはこれらの組み合わせで表示システム８の各機能を実現する。
【００３６】
以下で説明する実施の形態の各々において、他の実施の形態で開示される例と相違する点について特に詳しく説明する。以下の実施の形態の各々で説明されない特徴については、他の実施の形態で開示される例のいずれの特徴が採用されてもよい。
【００３７】
実施の形態２．
図４は、実施の形態２に係るエレベーター１の乗場３の例を示す図である。
【００３８】
投影装置１０は、予め設定された複数の領域のいずれかを投影領域として画像を投影する。この例の表示システム８において、９つの領域が予め設定されている。予め設定された複数の領域は、上段左側の領域Ａ１、上段中央の領域Ａ２、上段右側の領域Ａ３、中段左側の領域Ｂ１、中段中央の領域Ｂ２、中段右側の領域Ｂ３、下段左側の領域Ｃ１、下段中央の領域Ｃ２、および下段右側の領域Ｃ３を含む。ここで、領域Ａ２および領域Ｂ２は、乗場ドア４の表面の領域である。領域Ａ１、領域Ａ３、領域Ｂ１、および領域Ｂ３は、乗場３の壁面の領域である。領域Ｃ１、領域Ｃ２、および領域Ｃ３は、乗場３の床面の領域である。領域Ａ２、領域Ｂ２、領域Ｃ２は、乗場ドア４の前方の領域である。
【００３９】
注目度検出部１６は、予め設定された各々の領域について、利用者の注目度を検出する。この例において、注目度検出部１６は、各々の領域に視線を向けている利用者の数を集計する。注目度検出部１６は、各々の領域について集計した利用者の数を当該領域の注目度とする。
【００４０】
続いて、図５を用いて、実施の形態２に係る表示システム８の動作の例を説明する。
図５は、実施の形態２に係る表示システム８の動作の例を示すフローチャートである。
図５において、注目度検出部１６による注目度の検出に係る動作の例が示される。
【００４１】
ステップＳ２０１において、注目度検出部１６は、画像処理部１３において変換処理が行われた乗場３の画像を取得する。その後、注目度検出部１６の動作は、ステップＳ２０２に進む。
【００４２】
ステップＳ２０２において、注目度検出部１６は、乗場３に待機している利用者のうち、視線の向きを判定していない利用者を選択する。注目度検出部１６は、選択した利用者の視線の向きを、取得した画像に基づいて判定する。その後、ステップＳ２０３において、注目度検出部１６は、選択した利用者の視線が向けられる箇所を含む領域について、当該領域に向けられる視線の数に１を加算する。ここで、選択した利用者の視線が向けられる箇所がいずれの領域にも含まれない場合に、注目度検出部１６は、選択した利用者の視線が向けられる箇所に最も近い領域の視線の数に１を加算してもよい。その後、注目度検出部１６の動作は、ステップＳ２０４に進む。
【００４３】
ステップＳ２０４において、注目度検出部１６は、乗場３に待機している利用者のうち、視線の向きを判定していない利用者がいるかを判定する。判定結果がＹｅｓの場合に、注目度検出部１６の動作は、ステップＳ２０２に進む。一方、判定結果がＮｏの場合に、注目度検出部１６の動作は、ステップＳ２０５に進む。
【００４４】
ステップＳ２０５において、注目度検出部１６は、各々の領域に向けられる視線の数を当該領域の注目度とする。注目度検出部１６は、各々の領域について検出した注目度を領域決定部１７に出力する。その後、ステップＳ２０６において、注目度検出部１６は、リセット処理を行う。ここで、リセット処理は、例えば各々の領域に向けられる視線の数および注目度を０にする処理を含む。その後、注目度の検出に係る注目度検出部１６の動作は、終了する。
【００４５】
注目度検出部１６から注目度の出力を受けた領域決定部１７は、予め設定された領域のうちから、注目度のより高い領域をより優先して選択することで投影領域を決定する。投影装置１０は、領域決定部１７が決定した投影領域に画像を投影する。
【００４６】
以上に説明したように、実施の形態２に係る表示制御装置１１の注目度検出部１６は、乗場３において予め設定された複数の領域の各々について、乗場３において待機する利用者の注目度を検出する。
【００４７】
このような構成により、投影領域は予め設定された複数の領域のいずれかに制限される。このため、利用者の視線のわずかな変動による投影領域のぶれが生じにくくなるので、表示される画像がより見やすくなる。
【００４８】
また、注目度検出部１６は、各々の領域に視線を向けている利用者の数を用いて、各々の領域の注目度を検出する。
【００４９】
このような構成により、表示制御装置１１は、注目度の高い領域をより簡易な方法で検出できるようになる。
【００５０】
なお、注目度検出部１６は、各々の領域に視線を向けている利用者の数の他の情報を用いて各々の領域の注目度を検出してもよい。注目度検出部１６は、各々の領域について、例えば利用者が視線を向けている延べ時間を用いて注目度を検出してもよい。
【００５１】
実施の形態３．
図６は、実施の形態３に係る注目度検出部１６による注目度の検出の例を説明する図である。
【００５２】
この例において、表示制御装置１１の特性検出部１５は、利用者の特性として、車椅子使用者、低身長者、およびその他の利用者を検出する。低身長者は、例えば、車椅子使用者でない利用者のうち予め設定された身長より低い利用者である。その他の利用者は、例えば、車椅子使用者および低身長者のいずれでもない利用者である。
【００５３】
注目度検出部１６は、特性検出部１５が検出する利用者の特性の情報を用いて、予め設定された各々の領域についての注目度を検出する。注目度検出部１６は、図６に示される予め設定されたポイント表を記憶している。ポイント表は、利用者の特性にポイント値を対応づける表である。注目度検出部１６は、ポイント表において、車椅子使用者に１０ポイントを対応づけている。注目度検出部１６は、ポイント表において、低身長者に３ポイントを対応づけている。注目度検出部１６は、ポイント表において、その他の利用者に１ポイントを対応づけている。ポイント表におけるポイントは、パラメータとして設定可能な値であってもよい。
【００５４】
続いて、図７を用いて、実施の形態３に係る表示システム８の動作の例を説明する。
図７は、実施の形態３に係る表示システム８の動作の例を示すフローチャートである。
図７において、注目度検出部１６による注目度の検出に係る動作の例が示される。
【００５５】
ステップＳ３０１において、注目度検出部１６は、画像処理部１３において変換処理が行われた乗場３の画像を取得する。その後、注目度検出部１６の動作は、ステップＳ３０２に進む。
【００５６】
ステップＳ３０２において、注目度検出部１６は、乗場３に待機している利用者のうち、視線の向きを判定していない利用者を選択する。その後、注目度検出部１６の動作は、ステップＳ３０３に進む。
【００５７】
ステップＳ３０３において、注目度検出部１６は、選択した利用者の特性が車椅子使用者であるかを判定する。判定結果がＹｅｓの場合に、注目度検出部１６の動作は、ステップＳ３０４に進む。一方、判定結果がＮｏの場合に、注目度検出部１６の動作は、ステップＳ３０５に進む。
【００５８】
ステップＳ３０４において、注目度検出部１６は、予め記憶しているポイント表から車椅子使用者に対応づけているポイントを読み出す。その後、注目度検出部１６の動作は、ステップＳ３０８に進む。
【００５９】
ステップＳ３０５において、注目度検出部１６は、選択した利用者の特性が低身長者であるかを判定する。判定結果がＹｅｓの場合に、注目度検出部１６の動作は、ステップＳ３０６に進む。一方、判定結果がＮｏの場合に、注目度検出部１６の動作は、ステップＳ３０７に進む。
【００６０】
ステップＳ３０６において、注目度検出部１６は、予め記憶しているポイント表から低身長者に対応づけているポイントを読み出す。その後、注目度検出部１６の動作は、ステップＳ３０８に進む。
【００６１】
ステップＳ３０７において、注目度検出部１６は、予め記憶しているポイント表からその他の利用者に対応づけているポイントを読み出す。その後、注目度検出部１６の動作は、ステップＳ３０８に進む。
【００６２】
ステップＳ３０８において、注目度検出部１６は、選択した利用者の視線の向きを、取得した画像に基づいて判定する。その後、ステップＳ３０９において、注目度検出部１６は、選択した利用者の視線が向けられる箇所を含む領域について、利用者の特性に応じて読み出したポイントを当該領域のポイント数に加算する。その後、注目度検出部１６の動作は、ステップＳ３１０に進む。
【００６３】
ステップＳ３１０において、注目度検出部１６は、乗場３に待機している利用者のうち、視線の向きを判定していない利用者がいるかを判定する。判定結果がＹｅｓの場合に、注目度検出部１６の動作は、ステップＳ３０２に進む。一方、判定結果がＮｏの場合に、注目度検出部１６の動作は、ステップＳ３１１に進む。
【００６４】
ステップＳ３１１において、注目度検出部１６は、各々の領域のポイント数を当該領域の注目度とする。注目度検出部１６は、各々の領域について検出した注目度を領域決定部１７に出力する。その後、ステップＳ３１２において、注目度検出部１６は、リセット処理を行う。ここで、リセット処理は、例えば各々の領域のポイント数および注目度を０にする処理を含む。その後、注目度の検出に係る注目度検出部１６の動作は、終了する。
【００６５】
注目度検出部１６による注目度の検出をより具体的な例を用いて説明する。この例において、５人の利用者が乗場３で待機している。待機している利用者のうち、１人の車椅子使用者、および１人のその他の利用者が、領域Ａ１に視線を向けている。待機している利用者のうち、１人の低身長者、および２人のその他の利用者が、領域Ｂ２に視線を向けている。このとき、注目度検出部１６は、領域Ａ１のポイント数、すなわち注目度を、１０＋１＝１１として検出する。また、注目度検出部１６は、領域Ｂ２のポイント数、すなわち注目度を、３＋１＋１＝５として検出する。注目度検出部１６は、この他の領域の注目度を０として検出する。
【００６６】
注目度検出部１６から注目度の出力を受けた領域決定部１７は、予め設定された領域のうちから、注目度のより高い領域をより優先して選択することで投影領域を決定する。投影装置１０は、領域決定部１７が決定した投影領域に画像を投影する。
【００６７】
以上に説明したように、実施の形態３に係る表示制御装置１１は、特性検出部１５を備える。特性検出部１５は、撮影装置９が撮影する画像に基づいて、乗場３において待機する利用者についての特性を検出する。利用者の特性は、利用者の目線の高さに関する情報を含む。注目度検出部１６は、各々の領域に視線を向けている利用者の特性検出部１５が検出する特性に応じて重み付けされた数を用いて、各々の領域の注目度を検出する。
【００６８】
このような構成により、表示制御装置１１は、身体的なハンディキャップのある利用者であっても気づきやすい表示を行うことができる。また、利用者の体格などによって表示が見えにくくなることが抑えられる。
【００６９】
実施の形態４．
図８は、実施の形態４に係る表示システム８の動作の例を示すフローチャートである。
図８において、領域決定部１７による投影領域の決定に係る動作の例が示される。
【００７０】
表示制御装置１１の領域決定部１７は、乗場ドア４の状況に応じて投影領域を決定する。この例において、図４に示される９つの領域が予め設定されている。領域決定部１７は、予め設定された領域のうちからいずれかの領域を選択することで投影領域を決定する。
【００７１】
ステップＳ４０１において、領域決定部１７は、情報取得部１２を通じて制御盤６から乗場ドア４の開閉の情報を取得する。その後、ステップＳ４０２において、領域決定部１７は、位置検出部１４から利用者の待機位置を、注目度検出部１６から予め設定された領域ごとの注目度を取得する。その後、領域決定部１７の動作は、ステップＳ４０３に進む。
【００７２】
ステップＳ４０３において、領域決定部１７は、いずれかの領域から投影領域の第１候補を選択する。ここで、投影領域の第１候補の選択は、投影領域の選択と同様の方法によって行われる。この例において、投影領域の第１候補は、最も優先度の高い領域である。ここで、より注目度が高く、利用者に投影が遮られる可能性のより低い領域が、優先度のより高い領域である。領域決定部１７は、投影領域の第１候補が乗場ドア４の表面を含むかを判定する。この例において、領域Ａ２および領域Ｂ２が乗場ドア４の表面を含む領域である。投影領域の第１候補が乗場ドア４の表面を含む場合に、領域決定部１７の動作は、ステップＳ４０４に進む。一方、投影領域の第１候補が乗場ドア４の表面を含まない場合に、領域決定部１７の動作は、ステップＳ４０５に進む。
【００７３】
ステップＳ４０４において、領域決定部１７は、制御盤６から取得した乗場ドア４の開閉の情報を用いて、乗場ドア４が閉じているかを判定する。この例において、領域決定部１７は、乗場ドア４が開いた状態であるときに、乗場ドア４が閉じていないと判定する。また、領域決定部１７は、乗場ドア４が開閉動作をしている状態であるときに、乗場ドア４が閉じていないと判定する。乗場ドア４が閉じていると判定するときに、領域決定部１７の動作は、ステップＳ４０５に進む。一方、乗場ドア４が閉じていないと判定するときに、領域決定部１７の動作は、ステップＳ４０６に進む。
【００７４】
ステップＳ４０５において、領域決定部１７は、選択した第１候補を投影領域として決定する。その後、投影領域の決定に係る領域決定部１７の動作は、終了する。
【００７５】
ステップＳ４０６において、領域決定部１７は、いずれかの領域から投影領域の第２候補を選択する。この例において、投影領域の第２候補は、第１候補に次いで優先度の高い領域である。領域決定部１７は、投影領域の第２候補が乗場ドア４の表面を含むかを判定する。投影領域の第２候補が乗場ドア４の表面を含まない場合に、領域決定部１７の動作は、ステップＳ４０７に進む。一方、投影領域の第２候補が乗場ドア４の表面を含む場合に、領域決定部１７の動作は、ステップＳ４０８に進む。
【００７６】
ステップＳ４０７において、領域決定部１７は、選択した第２候補を投影領域として決定する。その後、投影領域の決定に係る領域決定部１７の動作は、終了する。
【００７７】
ステップＳ４０８において、領域決定部１７は、乗場ドア４の表面を含む領域を除く領域のうちで、最も優先度の高い領域を投影領域として決定する。その後、投影領域の決定に係る領域決定部１７の動作は、終了する。
【００７８】
投影装置１０は、領域決定部１７が決定した投影領域に画像を投影する。
【００７９】
以上に説明したように、実施の形態４に係る表示制御装置１１の領域決定部１７は、エレベーター１の乗場ドア４が閉じていないときに、複数の領域から乗場ドア４の表面を含む領域を除いて投影領域を決定する。
【００８０】
このような構成により、かごドア７とともに開いている乗場ドア４の開口を通じて、かご５の内部に乗車している利用者に画像が投影されることが防がれる。このため、乗場３の表示システム８における表示は、乗場３における利用者から見やすくなる。利用者が表示される情報に気づきやすくなるので、利用者の利便性が高くなる。
【００８１】
なお、一部が乗場ドア４の表面に掛かり、他の一部が乗場ドア４の表面に掛からない領域がある場合に、領域決定部１７は、乗場ドア４が閉じていないときに当該領域を除いて投影領域を決定してもよい。
【００８２】
実施の形態５．
図９は、実施の形態５に係る表示システム８の動作の例を示すフローチャートである。
図９において、領域決定部１７による投影領域の決定に係る動作の例が示される。
【００８３】
表示制御装置１１の領域決定部１７は、乗場ドア４の状況に応じて投影領域を決定する。この例において、図４に示される９つの領域が予め設定されている。領域決定部１７は、予め設定された領域のうちからいずれかの領域を選択することで投影領域を決定する。ここで、最も注目度の高い領域が１つに定まらない場合などに、領域決定部１７は、予め設定された基準領域を投影領域として決定する。基準領域は、複数の領域のうちから予め選択された領域である。基準領域は、パラメータとして設定可能であってもよい。
【００８４】
実施の形態５に係る領域決定部１７は、ステップＳ４０１からステップＳ４０２まで、およびステップＳ４０３からステップＳ４０８までにおいて、実施の形態４に係る領域決定部１７と同様に動作する。ステップＳ４０２において待機位置および注目度を取得した後、実施の形態５に係る領域決定部１７の動作は、ステップＳ４５１に進む。
【００８５】
ステップＳ４５１において、領域決定部１７は、乗場３に利用者がいるかを判定する。領域決定部１７は、例えば各々の領域の注目度が全て０である場合などに、乗場３に利用者がいないと判定する。乗場３に利用者がいない場合に、各々の領域の注目度は全て０となり差がないので、最も注目度の高い領域が１つに定まらなくなる。乗場３に利用者がいると判定される場合に、領域決定部１７の動作は、ステップＳ４５２に進む。一方、乗場３に利用者がいないと判定される場合に、領域決定部１７の動作は、ステップＳ４５３に進む。
【００８６】
ステップＳ４５２において、領域決定部１７は、複数の領域のうち注目度の高い上位２つの領域の間の注目度の差を算出する。上位２つの領域は、例えば最も注目度の高い領域および当該領域に次いで注目度の高い領域などである。あるいは、最も注目度の高い領域が複数ある場合に、上位２つの領域は、最も注目度の高い複数の領域のうちのいずれか２つであってもよい。領域決定部１７は、算出した注目度の差が予め設定された閾値より小さいかを判定する。上位２つの領域の注目度の差が閾値より小さい場合に、最も注目度の高い領域が１つに定まらなくなる。上位２つの領域の注目度の差が閾値より小さいと判定される場合に、領域決定部１７の動作は、ステップＳ４５３に進む。一方、上位２つの領域の注目度の差が閾値より小さくないと判定される場合に、領域決定部１７の動作は、ステップＳ４０３に進む。
【００８７】
ステップＳ４５３において、領域決定部１７は、予め設定された基準領域を投影領域として決定する。その後、投影領域の決定に係る領域決定部１７の動作は、終了する。
【００８８】
以上に説明したように、実施の形態５に係る表示制御装置１１の領域決定部１７は、複数の領域のうち注目度の高い上位２つの領域の間で注目度の差が予め設定された閾値より小さいかを判定する。注目度の差が閾値より小さいときに、領域決定部１７は、複数の領域のうちの予め設定された基準領域を投影領域として決定する。
【００８９】
このような構成により、最も注目度の高い領域が１つに定まらない場合においても、投影領域が定まらなくなることが防がれる。これにより、乗場３の表示システム８における表示は、乗場３における利用者から見やすくなる。利用者が表示される情報に気づきやすくなるので、利用者の利便性が高くなる。
【符号の説明】
【００９０】
１  エレベーター、  ２  昇降路、  ３  乗場、  ４  乗場ドア、  ５  かご、  ６  制御盤、  ７  かごドア、  ８  表示システム、  ９  撮影装置、  １０  投影装置、  １１  表示制御装置、  １２  情報取得部、  １３  画像処理部、  １４  位置検出部、  １５  特性検出部、  １６  注目度検出部、  １７  領域決定部、  １８  画像変換部、  １００ａ  プロセッサ、  １００ｂ  メモリ、  ２００  専用ハードウェア
【要約】      （修正有）【課題】混雑している乗場においても利用者に見やすく画像を表示できるエレベーターの表示制御装置を提供する。【解決手段】表示制御装置１１は、位置検出部１４と、注目度検出部１６と、領域決定部１７と、を備える。位置検出部１４は、撮影装置９が撮影する乗場３の画像に基づいて、乗場３において待機する利用者の待機位置を検出する。注目度検出部１６は、投影装置１０が画像を投影可能な乗場３の領域について、乗場３において待機する利用者の注目度を、撮影装置９が撮影する画像に基づいて検出する。領域決定部１７は、位置検出部１４が検出する待機位置、および注目度検出部１６が検出する注目度を含む情報に基づいて、投影装置１０が画像を投影する投影領域を決定する。領域決定部１７は、より注目度の高い領域、および利用者に投影が遮られる可能性のより低い領域をより優先して投影領域に決定する。【選択図】図１【図１】
0006962439.tif 000002
【図２】
0006962439.tif 000003
【図３】
0006962439.tif 000004
【図４】
0006962439.tif 000005
【図５】
0006962439.tif 000006
【図６】
0006962439.tif 000007
【図７】
0006962439.tif 000008
【図８】
0006962439.tif 000009
【図９】
0006962439.tif 000010